(57)【要約】【課題】レーザ加工機に付設されて加工機の状態を監視して故障予知・警告・修復作業を支援するシステムを提供する。【解決手段】レーザ加工機１はベッド１０上に支持されるパレット２０を有し、ワークＷ１に対してレーザ加工を施す。加工機１に付設される管理装置１００は、インターネット回線を介してサービスセンタ側のサーバー２に接続されるとともに、管理者側の携帯電話機３やパソコン４に加工機の状態を送信する。管理装置１００は、大型の画像表示装置２００を有し、加工機の状態をメッセージと音声で出力し、オペレータに必要な修復の必要性を通知する。修復作業の手順は、画像とメッセージで出力され、オペレータの作業を支援する。【選択図】図１
2008059064.tif 000002
【特許請求の範囲】
【請求項１】
加工機と加工機に付設される管理装置を備えた加工機の故障予知・警告・修復作業の支援システムであって、
管理装置は、加工機との通信手段と、加工機の状態等を表示する画像表示装置と、音声出力手段と、公衆回線を介して遠隔地のサーバーと通信する通信手段とを備え、
管理装置は、加工機の状態を画面上にメッセージとして出力し、支障が発生したときには警告レベルを色表示で示すとともに音声出力する機能と、支障を修復する際の手順を画像とメッセージにより出力する機能を備える加工機の故障予知・警告・修復作業の支援システム。
【請求項２】
管理装置は、加工機の定期点検項目毎の時間経過を計時する機能と、時間経過と点検項目毎の予め設定された所定時間との比率を計算する機能と、比率が予め設定された比率に達したときに画像表示に警告を表示するとともに、オペレータの携帯電話機に通知する機能を備える請求項１記載の加工機の故障予知・警告・修復作業の支援システム。
【請求項３】
加工機はレーザ加工機である請求項１又は２記載の加工機の故障予知・警告・修復作業の支援システム。
【発明の詳細な説明】
【技術分野】
【０００１】
本発明は、工作機械、特にレーザ加工機の故障予知・警告・修復作業の支援システムに関する。
【背景技術】
【０００２】
例えば、下記の特許文献は、工作機械の故障診断や故障予知システムを開示している。
【特許文献１】特開平１１−１１９８１５号公報
【特許文献２】特開平９−２２２９１１号公報
【特許文献３】特開平７−１５６０４４号公報
【特許文献４】特開平７−３０２２１４号公報
【特許文献５】特開平６−１１３０３３号公報
【特許文献６】特開平６−１４９３３０号公報
【特許文献７】特開平５−１５０８１８号公報
【発明の開示】
【発明が解決しようとする課題】
【０００３】
上述した特許文献に開示されたシステムは、いずれも工作機械と通信回線で結ばれたサービスセンタ等のホストコンピュータを備え、故障の予知、診断を行うものである。
本発明の目的は、加工機に付設される大型の画像表示装置を有する管理装置を備え、画面上に故障や保守に関するメッセージとともに、その重要度を色分けにより表示して、適切な対応をとるようにオペレータに知らせたり、画像により保守、点検等の具体的な手順を示すことができる支援システムを提供するものである。
【課題を解決するための手段】
【０００４】
上記目的を達成するために、本発明の加工機と加工機に付設される管理装置を備えた加工機の故障予知・警告・修復作業の支援システムにあっては、管理装置は、加工機との通信手段と、加工機の状態等を表示する画像表示装置と、音声出力手段と、公衆回線を介して遠隔地のサーバーと通信する通信手段とを備え、管理装置は、加工機の状態を画面上にメッセージとして出力し、支障が発生したときには警告レベルを色表示で示すとともに音声出力する機能と、支障を修復する際の手順を画像とメッセージにより出力する機能を備えるものである。
そして、管理装置は、加工機の定期点検項目毎の時間経過を計時する機能と、時間経過と点検項目毎の予め設定された所定時間との比率を計算する機能と、比率が予め設定された比率に達したときに画像表示に警告を表示するとともに、オペレータの携帯電話機に通知する機能を備えるものである。
【発明の効果】
【０００５】
本発明は、加工機に付設される管理装置が加工機の状態を常時監視し、故障予知を行い、必要に応じて警告を発する。警告のレベルは、表示画面上のメッセージ等を色分け表示し、また音声出力も行う。このためにオペレータに正確な状態を伝達することができる。
また、保守や故障の修復作業の手順を画像とメッセージで表示し、適切な修復を短時間で行うように支援することができるものである。
【発明を実施するための最良の形態】
【０００６】
図１は、本発明の加工機の故障予知・警告・修復作業の支援システムの全体構成を示す説明図である。
【０００７】
この支援システムは、客先Ａで稼働するレーザ加工機１と、レーザ加工機のサービスセンタＢに設置されたサーバー２と、客先の管理者Ｃが管理する携帯電話機３やパソコン４等を有する。
レーザ加工機１は、ベッド１０上に支持されるパレット２０を有し、パレット２０上にはワークＷ１が載置される。レーザ発振機４０からのレーザビームは、加工ヘッド３０へ送られ、ワークＷ１をレーザ加工する。加工プログラム等は、ＮＣ制御装置５０から供給される。
【０００８】
この加工機１は、「ｅ−Ｔｏｗｅｒ」と称する管理装置１００を備える。この管理装置１００は、インターネット回線ＩＮを介してサービスセンタＢ側のサーバー２と接続されるとともに、管理者Ｃ側の携帯電話機３やパソコン４へ加工機の情報を無線回線等を用いて送信する。管理装置１００は、オペレータが装着するウェブカメラ１１０やヘッドセット１２０等を有し、画像情報や音声情報を送信することもできる。
【０００９】
図２は、管理装置１００の上部に配設される画像表示装置２００に表示される画面２１０の一例を示す。
画面２１０には、「機械の状態」に関するアイコン２２０と「保守履歴」に関するアイコン２２２が用意されている。
【００１０】
「機械の状態」に関するアイコン２２０を選択すると、画面２１０上に機械の状態に関するメッセージ３００が表示される。そして各メッセージに対する警告レベル３１０が色分けされたラベルで表示されるとともに、警告レベルのメッセージ３１２も表示される。警告レベル３１０の色分けは、例えば、赤色は「機械停止警告」を示し、客先の同意の上で機械を運転できない状態にする。同様に、オレンジ色の「警告」は、定期点検期限が過ぎていることを表示する。黄色の「注意予告」は、定期点検期限が近づいていることを表示する。そして、緑色の表示は、機械が正常であることを表示する。
【００１１】
この警告はメッセージに加えて、アラームや音声でも出力する。
また、画面２１０上には、前回の保守からの経過時間３２０や予め設定される制限時間３３０やコメント３４０が表示される。コメント３４０の内容は、例えば、機械のメーカーへ連絡をとるように勧告するものである。
また、画面２１０上には、「定期点検アラーム」４００が表示される。この定期点検アラームは例えば、加工機１に装備された真空ポンプのオイル交換時期になったことを示す。また、メッセージ４１０は、真空ポンプの保守とオイル交換に関するマニュアルを表示する。
【００１２】
図３は、図２と同様の画面表示を示す。例えば、メッセージ３０２は、「真空ポンプのオイル交換時期です」の内容を示し、オペレータがこのメッセージ３０２をクリックすると、画面５００には、機械の真空ポンプ部の写真等が表示される。また、ページ５１０にはオイル交換の手順が表示される。
【図面の簡単な説明】
【００１３】
【図１】本発明の加工機の故障予知・警告・修復作業の支援システムの全体構成を示す説明図。
【図２】管理装置の上部に配設される画像表示装置に表示される画面の一例を示す説明図。
【図３】管理装置の上部に配設される画像表示装置に表示される画面の一例を示す説明図。
【符号の説明】
【００１４】
１  レーザ加工機
２  サーバー
３  携帯電話機
４  パソコン
１００  管理装置
２００  画像表示装置
【図１】
2008059064.tif 000003
【図２】
2008059064.tif 000004
【図３】
2008059064.tif 000005